(57)【特許請求の範囲】
【請求項１】
第一のバラクタダイオードを有するとともにテレビジョン信号又はＦＭ放送信号が入力される同調回路と、第二のバラクタダイオードを有するとともに所定の周波数からなる局部発振信号を生成する局部発振回路と、前記テレビジョン信号又は前記ＦＭ放送信号と前記局部発振信号とを混同する混合回路と、同調電圧を出力するＰＬＬ回路と、電圧加算回路と、正の電圧を有する電圧源とを備え、
前記同調電圧を前記第二のバラクタダイオードのカソードに印加すると共に前記電圧加算回路に入力し、前記ＦＭ放送信号を受信するときにのみ前記正の電圧を前記電圧加算回路に入力して前記同調電圧に前記正の電圧を加算し、加算された電圧を前記第一のバラクタダイオードのカソードに印加するようにしたことを特徴とするテレビジョンチューナ。
【請求項２】
第一のバラクタダイオードを有するとともにテレビジョン信号又はＦＭ放送信号が入力される同調回路と、第二のバラクタダイオードを有するとともに所定の周波数からなる局部発振信号を生成する局部発振回路と、前記テレビジョン信号又はＦＭ放送信号と前記局部発振信号とを混同する混合回路と、同調電圧を出力するＰＬＬ回路と、負の電圧を有する電圧源とを備え、
前記同調電圧を前記第一のバラクタダイオード及び前記第二のバラクタダイオードの各カソードに印加し、前記ＦＭ放送信号を受信するときにのみ前記負の電圧を前記第一のバラクタダイオードのアノードに印加するようにしたことを特徴とするテレビジョンチューナ。
【請求項３】
第一のバラクタダイオードを有するとともにテレビジョン信号又はＦＭ放送信号が入力される同調回路と、第二のバラクタダイオードを有するとともに所定の周波数からなる局部発振信号を生成する局部発振回路と、前記テレビジョン信号又は前記ＦＭ放送信号と前記局部発振信号とを混同する混合回路と、同調電圧を出力するＰＬＬ回路と、電圧減算回路と、正の電圧を有する電圧源とを備え、
前記同調電圧を前記第一のバラクタダイオードのカソードに印加すると共に前記電圧減算回路に入力し、前記ＦＭ放送信号を受信するときにのみ前記正の電圧を前記電圧減算回路に入力して前記同調電圧から前記正の電圧を減算し、減算された電圧を前記第二のバラクタダイオードのカソードに印加するようにしたことを特徴とするテレビジョンチューナ。
【請求項４】
第一のバラクタダイオードを有するとともにテレビジョン信号又はＦＭ放送信号が入力される同調回路と、第二のバラクタダイオードを有するとともに所定の周波数からなる局部発振信号を生成する局部発振回路と、前記テレビジョン信号又は前記ＦＭ放送信号と前記局部発振信号とを混同する混合回路と、同調電圧を出力するＰＬＬ回路と、正の電圧を有する電圧源とを備え、
前記同調電圧を前記第一のバラクタダイオード及び前記第二のバラクタダイオードの各カソードに印加し、前記ＦＭ放送信号を受信するときにのみ前記正の電圧を前記第二のバラクタダイオードのアノードに印加するようにしたことを特徴とするテレビジョンチューナ。
【発明の詳細な説明】
【０００１】
【発明の属する技術分野】
この発明は、ＦＭ放送信号を受信可能としたテレビジョンチューナに関する。
【０００２】
【従来の技術】
従来から、ＦＭ放送信号を受信可能としたテレビジョンチューナが知られている。図５はこのような従来のテレビジョンチューナの構成を示し、入力同調回路２１にはテレビジョン信号（ＴＶ）又はＦＭ放送信号（ＦＭ）が入力される。これらの信号は高周波増幅回路２２と段間同調回路２３とを経由して第一の混合回路２４に入力される。第一の混合回路２４には第一の局部発振回路２５から局部発振信号が入力される。入力同調回路２１及び段間同調回路２３の同調周波数と第一の局部発振回路２５から出力される局部発振信号の周波数（局部発振周波数）とはＰＬＬ回路２６に入力される選局信号Ｓによって制御されるが、局部発振周波数は常に同調周波数よりもテレビジョンの中間周波信号の周波数数だけ高くなっている。
【０００３】
従って、テレビジョン信号を受信するときには、第一の混合回路２４からテレビジョンの中間周波信号（例えば、米国仕様の映像中間周波数は４５．７５ＭＨｚ）が出力される。また、ＦＭ放送信号を受信するときには、テレビジョンの中間周波信号の周波数に周波数変換されたＦＭ放送信号（以下第一ＦＭ中間周波信号という）が出力される。
【０００４】
第一の混合回路２４から出力されたテレビジョンの中間周波信号は第一の中間周波フィルタ２７を介して次段の中間周波回路（図示せず）に入力され所定の処理が行われる。
【０００５】
また、第一の混合回路２４から出力された第一ＦＭ中間周波信号は第二の中間周波フィルタ２８を介して第二の混合回路２９に入力される。第二の混合回路２９には第二の局部発振回路３０から局部発振信号が入力される。第二の局部発振回路３０が出力する局部発振信号の周波数は第一ＦＭ中間周波信号の周波数よりも１０．７ＭＨｚ高くなっている。従って第二の混合回路２９からは１０．７ＭＨｚに周波数変換されたＦＭ放送信号（これを第二ＦＭ中間周波信号という）が出力される。第二ＦＭ中間周波信号は第三の中間周波フィルタ３１を介して図示しない復調回路に入力され、そこで音声信号が得られる。
【０００６】
【発明が解決しようとする課題】
以上のように、従来のテレビジョンチューナは、ＦＭ放送信号をテレビジョンの中間周波信号の周波数と同じ周波数に一旦周波数変換した後に、さらに、通常のＦＭ受信機で採用されている１０．７ＭＨの中間周波信号に周波数変換するので、二つの混合回路２４、２９と二つの局部発信回路２５、３０を備えていた。そのため、二つの局部発振信号同士の干渉によって多数のビート信号を発生し、これらが受信妨害を起こしていた。
【０００７】
そこで、本発明のテレビジョンチューナは、混合回路及び局部発振回路を各一個で構成して全体の構成を簡素化すると共に、ビート信号などの妨害波を発生しないテレビジョンチューナを提供することを目的とする。
【０００８】
【課題を解決するための手段】
上記の課題を解決する手段として、本発明のテレビジョンチューナは、第一のバラクタダイオードを有するとともにテレビジョン信号又はＦＭ放送信号が入力される同調回路と、第二のバラクタダイオードを有するとともに所定の周波数からなる局部発振信号を生成する局部発振回路と、前記テレビジョン信号又は前記ＦＭ放送信号と前記局部発振信号とを混同する混合回路と、同調電圧を出力するＰＬＬ回路と、電圧加算回路と、正の電圧を有する電圧源とを備え、
前記同調電圧を前記第二のバラクタダイオードのカソードに印加すると共に前記電圧加算回路に入力し、前記ＦＭ放送信号を受信するときにのみ前記正の電圧を前記電圧加算回路に入力して前記同調電圧に前記正の電圧を加算し、加算された電圧を前記第一のバラクタダイオードのカソードに印加するようにした。
【０００９】
また、第一のバラクタダイオードを有するとともにテレビジョン信号又はＦＭ放送信号が入力される同調回路と、第二のバラクタダイオードを有するとともに所定の周波数からなる局部発振信号を生成する局部発振回路と、前記テレビジョン信号又はＦＭ放送信号と前記局部発振信号とを混同する混合回路と、同調電圧を出力するＰＬＬ回路と、負の電圧を有する電圧源とを備え、
前記同調電圧を前記第一のバラクタダイオード及び前記第二のバラクタダイオードの各カソードに印加し、前記ＦＭ放送信号を受信するときにのみ前記負の電圧を前記第一のバラクタダイオードのアノードに印加するようにした。
【００１０】
また、第一のバラクタダイオードを有するとともにテレビジョン信号又はＦＭ放送信号が入力される同調回路と、第二のバラクタダイオードを有するとともに所定の周波数からなる局部発振信号を生成する局部発振回路と、前記テレビジョン信号又は前記ＦＭ放送信号と前記局部発振信号とを混同する混合回路と、同調電圧を出力するＰＬＬ回路と、電圧減算回路と、正の電圧を有する電圧源とを備え、
前記同調電圧を前記第一のバラクタダイオードのカソードに印加すると共に前記電圧減算回路に入力し、前記ＦＭ放送信号を受信するときにのみ前記正の電圧を前記電圧減算回路に入力して前記同調電圧から前記正の電圧を減算し、減算された電圧を前記第二のバラクタダイオードのカソードに印加するようにした。
【００１１】
また、第一のバラクタダイオードを有するとともにテレビジョン信号又はＦＭ放送信号が入力される同調回路と、第二のバラクタダイオードを有するとともに所定の周波数からなる局部発振信号を生成する局部発振回路と、前記テレビジョン信号又は前記ＦＭ放送信号と前記局部発振信号とを混同する混合回路と、同調電圧を出力するＰＬＬ回路と、正の電圧を有する電圧源とを備え、
前記同調電圧を前記第一のバラクタダイオード及び前記第二のバラクタダイオードの各カソードに印加し、前記ＦＭ放送信号を受信するときにのみ前記正の電圧を前記第二のバラクタダイオードのアノードに印加するようにした。
【００１７】
【発明の実施の形態】
以下図面を参照しながら本発明のテレビジョンチューナを説明する。先ず、図１は第一の実施の形態の構成を示し、入力同調回路１にはテレビジョン信号（ＴＶ）又はＦＭ放送信号（ＦＭ）が入力される。これらの信号は高周波増幅回路２と段間同調回路３とを経由して混合回路４に入力される。混合回路４には局部発振回路５から出力された局部発振信号が入力される。入力同調回路１及び段間同調回路３には同調周波数を変えるための第一のバラクタダイオード１ａ、３ａが設けられている。また、局部発振回路５には局部発振信号の周波数（局部発振周波数）を変えるための第二のバラクタダイオード５ａが設けられている。
【００１８】
ここで、同調周波数と局部発振周波数とはＰＬＬ回路６から出力される同調電圧Ｖｔによって制御されるが、入力同調回路１と段間同調回路３と局部発振回路５とは、第一のバラクタダイオード１ａ、３ａと第二のバラクタダイオード５ａとの各両端に同一の電圧が印加されたときには局部発振周波数が同調周波数よりもテレビジョンの中間周波信号の周波数（中間周波数）だけ高くなるように構成されている。
そして、テレビジョン信号を受信するときには、第一のバラクタダイオード１ａ、３ａと第二のバラクタダイオード５ａとの各両端に同一の電圧を印加し、ＦＭ放送信号を受信するときには第一のバラクタダイオード１ａ、３ａの両端の電圧を第二のバラクタダイオードの両端の電圧よりも大きくして、同調周波数と局部発振周波数との差が１０．７ＭＨｚとなるようにしている。
【００１９】
そうするために、先ず、同調電圧は局部発振回路５に設けられた第二のバラクタダイオード５ａのカソードに印加され、電圧加算回路７にも入力される。この場合、第二のバラクタダイオード５ａのアノードは直流的に接地されている。そして、電圧加算回路７にはＦＭ放送信号を受信するときにのみ電圧源８の正の電圧Ｖｅが切替手段９によって電圧加算回路７に入力される。即ち、局部発振周波数がＦＭ放送信号の周波数に対して１０．７ＭＨｚだけ高くなる範囲では電圧源８の電圧が電圧加算回路７に入力される。すると電圧加算回路７によって同調電圧と電圧源８の電圧とが加算される。そして、加算された電圧を第一のバラクタダイオード１ａ及び３ａのカソードに印加する。第一のバラクタダイオード１ａ、３ａのアノードも直流的に接地されている。すると、第一のバラクタダイオード１ａ及び３ａの両端の電圧が大きくなって同調周波数が高くなる。この同調周波数がＦＭ放送信号の周波数となるように電圧源８の電圧を設定しておけばＦＭ放送信号が受信できる。従って、混合回路４からは１０．７ＭＨｚに周波数変換されたＦＭ放送信号（ＦＭ中間周波信号）が出力される。
【００２０】
テレビジョン信号を受信するときは電圧源８の電圧が電圧加算回路７に入力されないので、電圧加算回路７はＰＬＬ回路６から入力された同調電圧をそのまま出力する。従って、混合回路４はテレビジョンの中間周波周波となる中間周波信号（ＴＶ中間周波信号）を出力する。
【００２１】
混合回路４から出力されたＴＶ中間周波信号はＴＶ中間周波フィルタ１０を介して次段の中間周波回路（図示せず）に入力され所定の処理が行われる。
また、混合回路４から出力されたＦＭ中間周波信号はＦＭ中間周波フィルタ１１介して図示しない復調回路に入力され、そこで音声信号が得られる。
【００２２】
図２は第一の実施の形態の他の構成を示し、電圧源８は負の電圧−Ｖｅを有する。また、第一のバラクタダイオード１ａ、３ａのアノードは抵抗（図示せず）を介して接地され、第二のバラクタダイオード５ａのアノードは直接接地される。さらに、ＰＬＬ回路６から出力される同調電圧は第一のバラクタダイオード１ａ、３ａ、第二のバラクタダイオード５ａの各カソードに印加される。そして、局部発振周波数がＦＭ放送信号の周波数に対して１０．７ＭＨｚだけ高くなる範囲では電圧源８の電圧が切替手段９によって第一のバラクタダイオード１ａ、３ａのカソードに印加される。すると、同様に、第一のバラクタダイオード１ａ及び３ａの両端の電圧が大きくなって同調周波数が高くなり、電圧源８の電圧設定によってＦＭ放送信号が受信できる。従って、混合回路４からは１０．７ＭＨｚに周波数変換されたＦＭ中間周波信号が出力される。
【００２３】
テレビジョン信号を受信するときは、切替手段９によって第一のバラクタダイオード１ａ、３ａのカソードが接地されるので、入力同調回路１及び段間同調回路３はテレビジョン信号の周波数に同調し、混合回路４はＴＶ中間周波信号を出力する。
【００２４】
図３は第二の実施の形態の構成を示し、第一のバラクタダイオード１ａ、３ａ及び第二のバラクタダイオード５ａの各アノードは直流的に接地され、ＰＬＬ回路６から出力される同調電圧がそのまま第一のバラクタダイオード１ａ、３ａの各カソードに印加されると共に、電圧減算回路１２に入力される。電圧減算回路１２にはＦＭ放送信号を受信するときにのみ、即ち、同調回路１、３の同調周波数がＦＭ放送信号の周波数となる範囲では、正の電圧を有する電圧源８の電圧Ｖｅが入力される。すると、電圧減算回路１２は同調電圧から電圧源８の電圧を減算した電圧（減算電圧）を出力する。そして、減算電圧が局部発振回路５の第二のバラクタダイオード５ａのカソードに印加される。すると、第二のバラクタダイオード５ａの両端の電圧が小さくなって局部発振周波数が低くなるが、このときの局部発振周波数がＦＭ信号の周波数に対して１０．７ＭＨｚだけ高くなるように電圧源８の電圧を設定しておけば、混合回路４からは１０．７ＭＨｚに周波数変換されたＦＭ中間周波信号が出力される。
【００２５】
テレビジョン信号を受信するときは電圧源８の電圧が電圧減算回路１２に入力されないので、電圧減算回路１２はＰＬＬ回路６から入力された同調電圧をそのまま出力する。従って、混合回路４はＴＶ中間周波信号を出力する。
【００２６】
図４は第二の実施の形態の他の構成を示し、電圧源８は正の電圧Ｖｅを有する。また、第一のバラクタダイオード１ａ、３ａのアノードは接地され、第二のバラクタダイオード５ａのアノードは抵抗（図示せず）を介して直流的に接地される。さらに、ＰＬＬ回路６から出力される同調電圧は第一のバラクタダイオード１ａ、３ａ及び第二のバラクタダイオード５ａの各カソードに印加される。そして、入力同調回路１及び段間同調回路３の同調周波数がＦＭ放送信号の周波数となる範囲では電圧源８の電圧が切替手段９によって第二のバラクタダイオード５ａのアノードに印加される。すると、同様に、第二のバラクタダイオード５ａの両端の電圧が小さくなって局部発振周波数が低くなる。このときの局部発振周波数がＦＭ放送信号の周波数に対して１０．７ＭＨｚだけ低くなるように電圧源８の電圧を設定すれば、混合回路４からは１０．７ＭＨｚに周波数変換されたＦＭ中間周波信号が出力される。
【００２７】
テレビジョン信号を受信するときは、切替手段９によって第二のバラクタダイオード５ａのカソードが接地されるので、混合回路４はＴＶ中間周波信号を出力する。
【００２８】
【発明の効果】
以上のように、本発明のテレビジョンチューナによれば、テレビジョン信号又はＦＭ放送信号が入力される混合回路と、混合回路に局部発振信号を入力する局部発振回路とを備え、テレビジョン信号を受信するときには混合回路からテレビジョンの中間周波信号を出力し、ＦＭ放送信号を受信するときには混合回路から１０．７ＭＨに周波数変換されたＦＭ放送信号を出力したので、一個の局部発振回路によってテレビジョンの中間周波信号と１０．７ＭＨｚに周波数変換されたＦＭ中間周波信号が得られる。従って、局部発振回路に起因するビート信号が生成されないので、妨害を受けることはない。
【００２９】
また、テレビジョン信号又はＦＭ放送信号を、同調回路を介して混合器に入力し、局部発振信号の周波数が同調回路の同調周波数よりもテレビジョンの中間周波信号の周波数だけ高い状態で共に変化させ、局部発振信号の周波数がＦＭ放送信号の周波数に対して１０．７ＭＨ高くなる範囲では同調周波数を高くして局部発振信号の周波数との差を１０．７ＭＨｚとしたので、テレビジョン信号を受信するときは混合回路からテレビジョンの中間周波信号を出力でき、ＦＭ放送信号を受信するときは１０．７ＭＨｚに周波数変換されたＦＭ中間周波信号を出力できる。
【００３０】
また、同調回路に同調周波数を変化するための第一のバラクタダイオードを設けると共に、局部発振回路に局部発振信号の周波数を変えるための第二のバラクタダイオードを設け、第一のバラクタダイオード及び第二のバラクタダイオードの各両端間に同じ電圧を印加して局部発振信号の周波数を同調周波数よりもテレビジョンの中間周波信号の周波数だけ高くし、局部発振信号の周波数がＦＭ放送信号の周波数に対して１０．７ＭＨ高くなる範囲では第一のバラクタダイオードの両端間に印加する電圧を第二のバラクタダイオードの両端間に印加する電圧よりも大きくしたので、局部発振信号の周波数との差を１０．７ＭＨｚにすることが出来る。
【００３１】
また、第一のバラクタダイオード及び第二のバラクタダイオードに印加するための同調電圧を出力するＰＬＬ回路と、電圧加算回路と、正の電圧を有する電圧源とを備え、同調電圧を第二のバラクタダイオードのカソードに印加すると共に電圧加算回路に入力し、ＦＭ放送信号を受信するときにのみ正の電圧を電圧加算回路に入力して同調電圧に正の電圧を加算し、加算された電圧を第一のバラクタダイオードのカソードに印加したので、第一のバラクタダイオードの両端間の電圧を大きくすることが出来る。
【００３２】
また、第一のバラクタダイオード及び第二のバラクタダイオードに印加するための同調電圧を出力するＰＬＬ回路と、負の電圧を有する電圧源とを備え、同調電圧を第一のバラクタダイオード及び第二のバラクタダイオードの各カソードに印加し、ＦＭ放送信号を受信するときにのみ負の電圧を第一のバラクタダイオードのアノードに印加したので、第一のバラクタダイオードの両端間に印加する電圧を大きくすることが出来る。
【００３３】
また、テレビジョン信号又はＦＭ放送信号を、同調回路を介して混合器に入力し、局部発振信号の周波数が同調回路の同調周波数よりも中間周波信号の周波数だけ高い状態で共に変化させ、同調周波数がＦＭ放送信号の周波数となる範囲では局部発振信号の周波数を低くして同調周波数との差を１０．７ＭＨｚとしたので、テレビジョン信号を受信するときは混合回路からテレビジョンの中間周波信号を出力でき、ＦＭ放送信号を受信するときは１０．７ＭＨｚに周波数変換されたＦＭ中間周波信号を出力できる。
【００３４】
また、同調回路に同調周波数を変化するための第一のバラクタダイオードを設けると共に、局部発振回路に局部発振信号の周波数を変えるための第二のバラクタダイオードを設け、第一のバラクタダイオード及び第二のバラクタダイオードの各両端間に同じ電圧を印加した状態では局部発振信号の周波数を同調周波数よりもテレビジョンの中間周波信号の周波数だけ高くし、同調周波数がＦＭ放送信号の周波数となる範囲では第二のバラクタダイオードの両端間に印加する電圧を第一のバラクタダイオードの両端間に印加する電圧よりも小さくしたので、同調周波数との差を１０．７ＭＨｚにすることが出来る。
【００３５】
また、第一のバラクタダイオード及び第二のバラクタダイオードに印加するための同調電圧を出力するＰＬＬ回路と、電圧減算回路と、正の電圧を有する電圧源とを備え、同調電圧を第一のバラクタダイオードのカソードに印加すると共に電圧減算回路に入力し、ＦＭ放送信号を受信するときにのみ正の電圧を電圧減算回路に入力して同調電圧から正の電圧を減算し、減算された電圧を第二のバラクタダイオードのカソードに印加したので、第二のバラクタダイオードの両端間に印加する電圧を小さくすることが出来る。
【００３６】
また、第一のバラクタダイオード及び第二のバラクタダイオードに印加するための同調電圧を出力するＰＬＬ回路と、正の電圧を有する電圧源とを備え、同調電圧を第一のバラクタダイオード及び第二のバラクタダイオードの各カソードに印加し、ＦＭ放送信号を受信するときにのみ正の電圧を第二のバラクタダイオードのアノードに印加したので、第二のバラクタダイオードの両端間に印加する電圧を小さくすることが出来る。
【図面の簡単な説明】
【図１】本発明のテレビジョンチューナの第一の実施の形態のブロック構成図である。
【図２】本発明のテレビジョンチューナの第一の実施の形態における他のブロック構成図である。
【図３】本発明のテレビジョンチューナの第二の実施の形態のブロック構成図である。
【図４】本発明のテレビジョンチューナの第二の実施の形態における他のブロック構成図である。
【図５】従来のテレビジョンチューナのブロック構成図である。
【符号の説明】
１  入力同調回路
１ａ  第一のバラクタダイオード
２  高周波増幅回路
３  段間同調回路
３ａ  第一のバラクタダイオード
４  混合回路
５  局部発振回路
５ａ  第二のバラクタダイオード
６  ＰＬＬ回路
７  電圧加算回路
８  電圧源
９  切替手段
１０  ＴＶ中間周波フィルタ
１１  ＦＭ中間周波フィルタ
１２  電圧減算回路
【図１】
0003725402.tif 000002
【図２】
0003725402.tif 000003
【図３】
0003725402.tif 000004
【図４】
0003725402.tif 000005
【図５】
0003725402.tif 000006